(57)【要約】セキュリティ・データの定期的更新を可能にする自己プログラミング領域を有する取引カードが開示される。自己プログラミング領域は、１つまたは複数の自己プログラミング構成要素を含み、構成要素のそれぞれは、構成要素に供給される電流の方向に応じて２つの状態の間で切り換えることができる。自己プログラミング構成要素は、カード上のプロセッサ内のアルゴリズムによって定められる様々な時間間隔にて、ディジタル・コードなどのセキュリティ・データを更新するために用いられる。
2010510603.tif 000002
【特許請求の範囲】
【請求項１】
プロセッサと、
磁気ストライプと、
前記磁気ストライプに動作可能に結合された自己プログラミング領域と、
前記プロセッサおよび前記自己プログラミング領域に接続された電源と
を備える取引カード。
【請求項２】
前記自己プログラミング領域が、前記カード上に設けられた１つまたは複数の構成要素によって所定の時間間隔にてデータ更新するように構成される、請求項１に記載のカード。
【請求項３】
前記自己プログラミング領域が、
前記電源から２つの方向において電流を受け取るように構成された少なくとも１つの自己プログラミング構成要素をさらに備え、前記少なくとも１つのプログラミング構成要素は、一方の電流方向に関連する第１の向きと、他方の電流方向に関連する第２の向きを有する、請求項２に記載のカード。
【請求項４】
前記少なくとも１つの自己プログラミング構成要素が、前記磁気ストライプの上に配設され、前記磁気ストライプ上にデータを符号化するように構成される、請求項３に記載のカード。
【請求項５】
前記自己プログラミング構成要素が電磁コイルである、請求項４に記載のカード。
【請求項６】
前記電磁コイルに動作可能に結合された磁気ストライプの少なくとも１つの磁気要素であって、前記電磁コイルへの電流の前記２つの方向に応答して２つの向きに配列することができる、磁気要素をさらに備える、請求項５に記載のカード。
【請求項７】
前記プロセッサが、
所定の時間間隔にて認証コードを計算するためのアルゴリズムを含むメモリを備える、請求項４に記載のカード。
【請求項８】
前記プロセッサが、前記認証コードを符号化するために前記少なくとも１つのプログラミング構成要素に電流を供給するように、前記電源に１つまたは複数の信号を送るように構成される、請求項７に記載のカード。
【請求項９】
取引カードであって、
プロセッサと、
前記カード上に設けられた１つまたは複数の構成要素によって所定の時間間隔にてデータ更新するように構成された自己プログラミング領域と、
前記プロセッサおよび前記自己プログラミング領域に接続された電源と
を備える、取引カード。
【請求項１０】
前記自己プログラミング領域が、
前記電源から２つの方向において電流を受け取るように構成された少なくとも１つの自己プログラミング構成要素をさらに備え、前記少なくとも１つのプログラミング構成要素は、一方の電流方向に関連する第１の向きと、他方の電流方向に関連する第２の向きを有する、請求項９に記載のカード。
【発明の詳細な説明】
【技術分野】
【０００１】
本発明は、一般に、安全な取引を行うための製品および方法に関し、より具体的には、記憶されたデータの定期的更新の自己プログラミング能力を有する取引カードに関する。
【背景技術】
【０００２】
毎年、世界では４兆ドルを超える決済カード取引が行われている。１００ドル使われる毎に６セントが詐欺によって失われ、結果として毎年、銀行および商業者によって賄われなければならない２０億ドルを超える違法請求を生じている。信用ネットワークを近代化し、安全化するための試みは、決済カード端末ネットワークのアップグレードが必要になるために大部分は失敗している。米国のみで、端末の設置ベースで１００億ドルの投資となり、業界によって磁気ストリップ端末に対する決定的な答が広く採用されるのは暫く先になるであろう。
【０００３】
決済カードのセキュリティを確実にするために用いられる様々な対策があるが、各手法にはそれ自体の制約がある。たとえば、取引を認証するのに個人識別番号（ＰＩＮ）コードを必要とするスマートカードは、不正取引の問題のわずかな部分に対処できるだけであり、また他の既存のカード端末からの広範囲にわたるアップグレードが必要になる。
【０００４】
カード認証コードの使用は、電話を通じてまたはインターネット上で行われるような、カードが物理的にない取引に有用である。しかし、ひとたびカード認証コードが他人に知られると、電話またはインターネットを通じた潜在的な不正使用だけでなく、偽造カードによっても、セキュリティは容易に危うくなる。
【先行技術文献】
【特許文献】
【０００５】
【特許文献１】米国特許第６，８２２，５４８号
【非特許文献】
【０００６】
【非特許文献１】Korenivskiおよびvan Dover、「Thin-Film Magnetic Inductors for Integrated Circuit Applications」、FP-12 Abstract、7th Joint MMM-Intermag Conference、１９９８年１月６〜９日
【非特許文献２】Zhuangら、「Study of Magnetic On-chip Inductors」、Proc. SAFE 2001、２００１年１１月２８〜２９日、Veldhoven, the Netherlands,２２９〜２３３頁
【非特許文献３】Ditizioら、「Cell Shape and Patterning Considerations for Magnetic Random Access Memory (MRAM) Fabrication」、Semiconductor Manufacturing Magazine、２００４年１月
【非特許文献４】GallagherおよびParkin、「Development of the magnetic tunnel junction MRAM at IBM: From first junctions to a 16-Mb MRAM demonstrator chip」、IBM J. Res. & Dev.、５０巻、１号、５−２３Ａ頁、２００６年１月
【発明の概要】
【発明が解決しようとする課題】
【０００７】
より高度な技術を伴う他のセキュリティ対策も利用可能であるが、それらはレガシー磁気ストリップ・リーダ・ネットワークとの統合が困難であるか、またはコストのかかるネットワークのアップグレードが必要になり得る。したがって、引き続き、改善されたセキュリティ対策での代替策が必要であり、特に既存の装置およびネットワークと容易に適合可能なものが必要である。
【課題を解決するための手段】
【０００８】
従来技術に伴う様々な問題は、特定のセキュリティ・データがカード上に設けられた構成要素によって所定の時間間隔にて更新される、自己プログラミング取引カードの本発明によって対処される。一実施形態では、取引カードは、プロセッサと、磁気ストライプと、磁気ストライプに動作可能に結合された自己プログラミング領域と、プロセッサおよび自己プログラミング領域に接続された電源とを含む。
【０００９】
もう１つの実施形態では、取引カードは、プロセッサと、カード上に設けられた１つまたは複数の構成要素によって所定の時間間隔にてデータ更新するように構成された自己プログラミング領域と、プロセッサおよび自己プログラミング領域に接続された電源とを含む。
【００１０】
本発明の教示は、添付の図面と共に以下の詳細な説明を考察することにより、容易に理解することができる。
【図面の簡単な説明】
【００１１】
【図１】磁気ストライプを有する従来型の決済または取引カードの背面図である。
【図２Ａ】本発明の一実施形態による取引カードの、それぞれ正面図および背面図である。
【図２Ｂ】本発明の一実施形態による取引カードの、それぞれ正面図および背面図である。
【図３】本発明の一実施形態を実施するための、電源に接続された電磁コイルを示す図である。
【図４Ａ】磁気ストライプ上の、磁気双極子すなわち磁気要素の配列を示す図である。
【図４Ｂ】図４Ａの符号化された情報に対応する、読み取りヘッドからの電流信号を示す図である。
【図５Ａ】「１」データビットを生成するように、偶数個の双極子が同じ方向に配置された一実施形態を示す図である。
【図５Ｂ】偶数個の双極子による、「０」ビットの符号化を示す図である。
【図６】本発明の取引カードの自己プログラミング領域での、カードリーダの出力信号を時間または位置の関数として示す図である。
【発明を実施するための形態】
【００１２】
理解を容易にするために、可能な場合は、各図で共通な同一の要素を示すのに同一の参照番号を用いている。
【００１３】
本発明は、セキュリティ・データの定期的更新を可能にする自己プログラミング領域を有する取引カードに関する。自己プログラミング領域は、１つまたは複数の自己プログラミング構成要素を含み、構成要素のそれぞれは、構成要素を通る電流の方向に応じて２つの状態の間で切り換えることができる。自己プログラミング構成要素は、たとえば、カード上のマイクロプロセッサ内のアルゴリズムによって予め定められるなどの、様々な時間間隔にてセキュリティ・コードまたはカード認証コード（ＣＶＣ）を更新するために用いられる。取引は、使用時点でカードが提示され、かつ時間依存性の認証コードが、カード発行会社に属する遠隔サーバのものと一致する場合にのみ認証される。動的すなわち時間依存性のコードを用いることにより、従来型のカードに伴う偽造カードまたはその他の不正使用に対する、追加のセキュリティがもたらされる。この取引カードのもう１つの利点は、レガシー磁気ストライプ技術との後方互換性であり、それによりこのカードは、ビルディングのセキュリティを含む多種多様なセキュリティ用途向けに望ましいものとなる。
【００１４】
一実施形態では、自己プログラミング領域は、磁気ストライプに動作可能に結合され、磁気ストライプ上のデータビットを符号化するために電磁コイルが用いられる。もう１つの実施形態では、電磁コイルは、磁気ストライプ・カードリーダによって読み取ることができる磁界を発生することにより、磁気ストライプ・エミュレータとして働く。さらに別の実施形態では、自己プログラミング構成要素は、定期的に更新されるコードを記憶するための１つまたは複数の磁気ランダム・アクセス・メモリ（ＭＲＡＭ）素子である。
【００１５】
図１は、磁気ストライプ１０２を有する、従来型の決済または取引カード１００の背面図を概略的に示す。通常、磁気ストライプ１０２は、それぞれ幅が０．１１０インチ（２．７９ｍｍ）の３つのトラックを含む。物理特性および情報記憶を含む、取引カードのいろいろな側面を規定する様々な標準がある。たとえば、ＩＳＯ／ＩＥＣ  ７８１１標準の下では、トラック１および３は、２１０ビット／インチ（８．２７ビット／ｍｍ）で記録され、トラック２は、７５ビット／インチ（２．９５ビット／ｍｍ）のビット密度を有する。各トラックは、７ビットの英数字または５ビットの数字を含むことができる。トラック１およびトラック２は、読み取り専用トラックであり、中でも、カード所有者の氏名、カード番号、有効期限などの情報を含む。トラック３は、頻繁には用いられない、読み取り／書き込みトラックである。
【００１６】
図２Ａ〜２Ｂは、本発明の一実施形態による取引カード２００の、それぞれ正面図および背面図を概略的に示す。図２Ａの正面図に示されるように、カード２００は、カード番号領域２０４、およびカード所有者名領域２０６に加えて、プロセッサ２０２を有する。プロセッサ２０２は、現在時刻情報のためのタイムスタンプ、および一定の所定の時間間隔にて認証コードを計算するためのアルゴリズムを有するメモリを含む。アルゴリズムは擬似乱数発生器でよく、また認証コードを計算するためのアルゴリズム内のパラメータとして現在時刻を含むことができる。別法として、プロセッサ２０２がアクセスするように、アルゴリズムを含む別個のメモリをカード２００上に設けてもよい。また、オプションのスマートカード・インターフェース２０８が設けられる。
【００１７】
図２Ｂは、磁気ストライプ２１０、電源２２０、および自己プログラミング領域２１２を備えるカード２００の裏面を示す。自己プログラミング領域２１２は、電源２２０に接続され、電源２２０はまた、埋め込みプロセッサ２０２に接続される。電源２２０は、カード認証コードを計算し、自己プログラミング領域２１２上のコードを更新するために必要な電力を供給する。一実施形態では、電源２２０はフレキシブル薄型電池である。長寿命のフレキシブル電池は、たとえば、とりわけ、Ｔｈｉｎ  Ｂａｔｔｅｒｙ  Ｔｅｃｈｎｏｌｏｇｉｅｓ，Ｉｎｃ．、Ｐｏｗｅｒ  Ｐａｐｅｒ、ＮＥＣ、およびＳｏｌｉｃｏｒｅなど、多種多様な製造業者から市販されている。また、署名領域２１４、およびオプションのディジタル表示器２１６が設けられる。ディジタル表示器２１６は、それがある場合は、やはり自己プログラミング領域２１２および電源２２０に接続される。
【００１８】
一実施形態では、自己プログラミング領域２１２は、磁気ストライプ２１０の一部を含み、符号化は、既存の標準に従ってトラック１またはトラック２上に行われる。これにより、レガシー・リーダなどの既存のカードリーダとの互換性が可能となる。互換性が必要でない用途に対しては、自己プログラミング領域２１２はトラック３上に設けることができ、多種多様な適切なフォーマットで符号化することができる。自己プログラミング領域２１２に記憶されたカード認証コードは、一定の所定の手順に従って、カード２００上の構成要素によって定期的に（または自動的に）更新される。
【００１９】
磁気ストライプ２１０の自己プログラミング領域２１２は、１つまたは複数の自己プログラミング構成要素を有する。一実施形態では、磁気ストライプ２１０上のデータビットをプログラムするために、１つまたは複数の埋め込み電磁コイルが用いられ、セキュリティまたは認証コードは、次の更新まで磁気ストライプ上に記憶される。もう１つの実施形態では、電磁コイルは、磁気ストライプ・エミュレータ・モードで用いられ、コイルによって発生される磁界は、データビットを表すために用いられる。この場合、コイルは、カードリーダとの互換性を可能にするために磁気ストライプ２１０のトラック１またはトラック２内の適当な位置に設けられるが、コイルは磁気ストライプ２１０の磁気要素を配列させるためには用いられないので、コイルは必ずしも磁気ストライプ２１０に結合されない。
【００２０】
図３は、電源２２０に接続された電磁コイル３００を示す。電源２２０によってコイル３００に電流が供給されると、コイル３００中の電流の流れと垂直な方向に磁界が生成される。電子流の方向Ｉに対する、結果として生じる磁界のＮおよびＳ極性が示される。コイル３００の影響下で磁気ストライプ上の、たとえば酸化鉄または他の適当な材料などの磁性粒子は、磁界方向に沿って配列されることになる。コイル３００に反対方向に電流が通されると、結果として生じる磁界方向は反転され、それにより磁気ストライプ上の磁性粒子の配列は反転される。
【００２１】
一実施形態では、電磁コイル３００は、Korenivskiおよびvan Doverによる「Thin-Film Magnetic Inductors for Integrated Circuit Applications」、FP-12 Abstract、7th Joint MMM-Intermag Conference、１９９８年１月６〜９日で述べられているものなどの、薄膜磁気インダクタとすることができる。たとえば、２００４年１１月２３日発行のWangらの米国特許第６，８２２，５４８号「Magnetic Thin Film Inductors」、およびZhuangらの「Study of Magnetic On-chip Inductors」、Proc. SAFE 2001、２００１年１１月２８〜２９日、Veldhoven, the Netherlands,２２９〜２３３頁を含む、他の薄膜磁気インダクタ設計も適している。取引カード２００上で、コイル３００は、自己プログラミング領域２１２の対応するトラック内の磁気ストライプ材料に近接して配設される。一実施形態では、コイルは、カード認証コードに対応するトラック上の位置に形成され、磁気ストライプ材料はコイルの内側にあり、すなわちコアを形成する。コイル３００の製造および既存の磁気ストライプとの統合は、当業者に知られている技法を用いて行うことができ、各コイルの寸法および／またはレイアウトは、通常の磁気ストライプ材料の符号化に適合するように設計される。電源２２０およびコイル３００は、データビットをプログラミングするのに十分な磁界を発生するために、各コイルに２つの方向で電流を通すことができるように設計される。
【００２２】
図４Ａは、一般に用いられるＩＳＯ／ＩＥＣ  ７８１１標準でのＦ２ＦまたはＡｉｋｅｎ  ＢｉＰｈａｓｅ方式に従って様々なデータビット「１」および「０」を表す、磁気ストライプ上の磁気双極子すなわち磁気要素（それぞれが１つまたは複数の磁性粒子に対応し得る）の配列を概略的に示す。各「０」および「１」ビットは、同じ物理的長さを有し、それぞれは２つの磁気双極子を含む。「０」ビットの場合は、ビット内の２つの双極子は同じ方向に配列され、「１」ビットの場合は、２つの双極子は対向する方向に配列される。たとえば、ビット４０１、４０３、４０９は「０」ビットであり、各ビットは、それぞれ同じ方向、すなわちＳ−Ｎ／Ｓ−ＮまたはＮ−Ｓ／Ｎ−Ｓに配列された磁気双極子をもつ。ビット４０５および４０７は「１」ビットであり、各ビットのそれぞれの双極子は対向する方向、たとえばＳ−Ｎ／Ｎ−ＳまたはＮ−Ｓ／Ｓ−Ｎに配列される。本発明の一実施形態によれば、各双極子は、Ｎ−ＳまたはＳ−Ｎの向きに双極子を配列させるために２つの可能な方向に双極子に電流を通すように構成された、関連する電磁コイルを有する。ビット４０１および４０５に対する双極子は、図４Ａでは、それぞれ４０１Ａ、４０１Ｂ、および４０５Ａ、４０５Ｂとして示される（明瞭にするために、その他は省いている）。各コイル３００の長さは、既存のトラック１またトラック２上のビットの通常の物理的長さと同様になるように設計される。隣接するコイルは、互いに近接するように、たとえば互いに接するように配置することができる。別法として、望むなら、それぞれの隣接するコイルは、特定の間隔で隔置することもでき、間隔は、コイルを通る最大電流によって発生される磁界強度に応じたものとなる。
【００２３】
Ｆ２Ｆ方式の下では、隣接するビットは常に、互いに接する同じ極性（ＮまたはＳ）をもつように配置され、それにより２つのビットの間に磁束線が大きく集中する領域を生ずる。読み取り動作を開始するには、取引カード２００は、カードリーダを通してスワイプされる。磁気ストライプの高磁束領域は、読み取りヘッド内に電流を誘起することになり、反対極性の磁束線は、反対方向の電流を生じる。これは図４Ｂに示され、図４Ａの符号化された情報に対応する、読み取りヘッドからの電流信号を示す。データビットは、各ビット長の中で検出される磁束変化、すなわち磁束遷移の間の経過時間に基づいて復号化される。したがって、隣接する磁束遷移の分離間隔が発生するのがビット周期Ｔに近い場合は、ビット「０」が検出され、たとえば、ビット４０１に対する信号４２１および４２３、ビット４０３に対する信号４２３および４２５、ビット４０９に対する信号４２９および４３１などである。データビット「１」の場合は、そのビット長の中央、すなわちビット周期の半分の近くで生ずる追加の磁束遷移が存在し、たとえば、ビット４０５の周期の中央付近の信号４２６であり、信号４２５と４２７はビット２０５の始まりと終わりを表す。また、ビット周期を決定するために、トラックの始まりと終わりに、一続きの「０」ビットなどのクロック・ビットが設けられる。大部分の手動でのカードのスワイプは、比較的一定の速度で行われるので、ビット周期すなわちビット長は、クロック・ビットから発生される信号に基づいて決定することができる。
【００２４】
図４Ａに示される方式とは別に、結果として生じる磁力線が、それぞれのビットの正しい読み取りのためにカードリーダによって検出される限り、データビットを符号化するのに他の変形形態を用いることもできる。たとえば、図５Ａは、「１」データビットを生成するために、偶数個の双極子が同じ方向に配置される一実施形態を示す。図５Ｂは、偶数個の双極子による「０」ビットの符号化を示し、双極子の半分は一方の方向に配列され、残りの半分は反対方向に配列され、全体として磁界の打ち消しを生ずるように配置される。
【００２５】
個々の双極子からの磁界を統合するように構成されたカードリーダは、各双極子の全体としての磁界に応じて、「０」または「１」としてデータを読み取ることができる。図６は、カードリーダの出力信号を、時間またはトラックの自己プログラミング領域２１２での位置の関数として示し、自己プログラミング領域２１２内に記憶された「１」ビットおよび「０」ビットを示す。
【００２６】
別法として、双極子がカードリーダによる検出のために十分な磁界強度を提供する限り、各ビットは単一の双極子によって符号化することもできる。たとえば、「１」ビットは、第１の方向に配列された双極子によって表すことができ、「０」ビットは、第２の（すなわち反対の）方向に配列された双極子によって表される。
【００２７】
取引カード２００は、いろいろな条件下で自己プログラミングを開始するように構成することができる。一実施形態では、プロセッサ２０２は、組み込みアルゴリズムに基づいて、所定の時間間隔にて新しいコードを発生し、制御信号を電源２２０に送り、電源２２０は、自己プログラミング領域２１２内のセキュリティ・コード用のデータビットを更新するために、コイルに電流を供給する。アルゴリズムは、擬似乱数発生器に基づくものでよく、認証コードを計算するためのパラメータとして現在時刻を含むことができる。一実施形態では、新しいコードは、約３０秒ごとに発生される。しかし、他の時間間隔を用いることもできること、および自己プログラミングを行う間隔は規則的でもよく、規則的でなくてもよい（すなわち自己プログラミングまたは更新の間の時間間隔も可変とすることができる）ことを理解されたい。
【００２８】
別法として、プロセッサ２０２上のアルゴリズムを用いて、リアルタイム・ベースで認証コードを計算する代わりに、たとえば数年程度の比較的長期間の認証コードは、使用者にカードを発行する前に、サーバによって発生することができる。この実施形態では、（所定の時間間隔に対応する）時間依存性認証コードのリストが、将来、プロセッサ２０２によって取り出されるように、カード２００のメモリ内に記憶される。また、銀行その他の認定された施設で利用可能なものなど、特定の安全なカード・プログラミング端末にて、これらの認証コードをカード２００上のメモリにアップロードすることを提供することも可能である。
【００２９】
現在の認証コードは、オプションのディジタル表示器２１６に表示することができ、表示器は、たとえば、中でも、ｅｌｎｋ、富士通、およびＰｈｉｌｌｉｐｓなど、いろいろな供給元から市販されている多種多様な不揮発性、低解像度、および低消費電力の表示器でよい。表示器は、たとえば、認証の目的のために、磁気ストライプ２１０をカードリーダで読み取らせる代わりに、カード使用者が手動で現在のコードを取引装置に入力するために用いることができる。
【００３０】
オプションのスマートカード・インターフェース２０８は、中でも、取引カード２００とカードリーダまたはその他の装置との間の通信を実現するため、または外部電源へのインターフェースを実現するため、または取引カード２００上の電源２２０の再充電のためなど、様々な機能用に用いることができる。
【００３１】
動的に更新されるカード認証コードは、カードのセキュリティを危険にさらすことなく、公において取引を認証するための個人識別番号（ＰＩＮ）などの既存のセキュリティ対策と共に用いることができる。たとえば、取引カード２００を用いて取引を行うためには、カード所有者は、カードリーダにてスワイプするために商業者にカード２００を提示する。動的に発生されるカード認証コード（ＣＶＣ）を含むカード上のデータは、カードリーダによってカード発行会社の遠隔サーバへ通信され、サーバは、現在のＣＶＣおよび他のデータを認証する。動的に更新されるＣＶＣは、たとえばカード番号、カード所有者の氏名、有効期限などのカード上の他のデータとは異なり、権限のない者には容易に複製することはできない。したがって、ＣＶＣコードと、カード上に記憶されずカード所有者のみが知るＰＩＮを組み合わせて用いることにより、他の既存のセキュリティ対策と比較して、取引への追加のセキュリティのレベルがもたらされる。
【００３２】
また、カード所有者は、ＣＶＣの自己プログラミングをコントロールできないので、ＣＶＣが更新されているときにカードが読み取られることが起こり得る。このために、カード上と遠隔サーバ上とでＣＶＣの不一致となり、認証不合格となり得る。したがって、本発明の一実施形態は、それぞれの自己プログラミング・ステップの前での、トラック上の開始および終了ビット・パターン（たとえば、クロック・ビット）の一時的なディスエーブル化と、コード更新後のこれらのビットのイネーブル化を実現する。ＣＶＣの更新中にカードが読み取られる場合は、ディスエーブルされた開始および終了ビット・パターンは、カードリーダにて（認証不合格ではなく）読み取りエラーを引き起こすことになり、その場合は、開始および終了ビット・パターンがイネーブルされたらすぐに、カードを再度スワイプすることができる。
【００３３】
もう１つの実施形態では、カード２００の自己プログラミング領域２１２内のコイル３００は、磁気ストライプ・エミュレータとして機能し、コイル３００によって発生される磁界は、磁気ストライプ・カードリーダによって直接検出されるように構成される。このエミュレータ・モードでは、動的認証コードは、磁気ストライプ２１０のどのトラック上にも記憶されない。したがって、自己プログラミング領域２１２は、磁気ストライプ２１０に結合される必要はない。電流は、電池２２０からコイル３００に連続的に供給され、それにより、（コイル３００の磁界によって表される）データビットは、カードリーダによって読み取ることができるようになる。別法として、このエミュレータ・モードでの電池寿命を維持するために、認証コードを発生するために手動でコイルを活動化できるように、センサをカード２００上に設けることができる。たとえば、エミュレータ・モードにおいて認証コードの発生を活動化するように、指が触れたことを検知するために誘導センサを用いることができる。
【００３４】
別の実施形態では、自己プログラミング構成要素は、ＭＲＡＭ素子であり、より具体的には磁気トンネル接合素子であり、この素子は、メモリ・セルに対向する方向に電流を通すことによってデータ状態「０」および「１」を書き込むことができる不揮発性メモリである。この実施形態では、磁気トンネル接合素子は、磁気ストライプとは独立に機能し、一般に取引カード２００上の任意の位置に配置することができる。ＭＲＡＭ素子によって記憶されたデータは、適当なリーダによって読み取ることができる。ＭＲＡＭの製造および技術についての詳細は、たとえば、Ditizioらによる「Cell Shape and Patterning Considerations for Magnetic Random Access Memory (MRAM) Fabrication」、Semiconductor Manufacturing Magazine、２００４年１月、ならびにGallagherおよびParkinによる「Development of the magnetic tunnel junction MRAM at IBM: From first junctions to a 16-Mb MRAM demonstrator chip」、IBM J. Res. & Dev.、５０巻、１号、５−２３Ａ頁、２００６年１月に見出すことができ、これら両方を参照によりその全体を本明細書に組み込む。
【００３５】
以上は、本発明の実施形態に向けられたが、本発明の基本的な範囲から逸脱せずに本発明の他のおよびさらなる実施形態を考案することができ、本発明の範囲は以下の特許請求の範囲によって決定される。
【図１】
2010510603.tif 000003
【図２Ａ】
2010510603.tif 000004
【図２Ｂ】
2010510603.tif 000005
【図３】
2010510603.tif 000006
【図４Ａ】
2010510603.tif 000007
【図４Ｂ】
2010510603.tif 000008
【図５Ａ】
2010510603.tif 000009
【図５Ｂ】
2010510603.tif 000010
【図６】
2010510603.tif 000011
【手続補正書】
【提出日】平成21年8月7日(2009.8.7)
【手続補正１】
【補正対象書類名】特許請求の範囲
【補正対象項目名】全文
【補正方法】変更
【補正の内容】
【特許請求の範囲】
【請求項１】
プロセッサと、
磁気ストライプと、
前記磁気ストライプに動作可能に結合された自己プログラミング領域と、
前記プロセッサおよび前記自己プログラミング領域に接続された電源と
を備える取引カード。
【請求項２】
前記自己プログラミング領域が、前記カード上に設けられた１つまたは複数の構成要素によって所定の時間間隔にてデータ更新するように構成される、請求項１に記載のカード。
【請求項３】
前記自己プログラミング領域が、
前記電源から２つの方向において電流を受け取るように構成された少なくとも１つの自己プログラミング構成要素をさらに備え、前記少なくとも１つのプログラミング構成要素は、一方の電流方向に関連する第１の向きと、他方の電流方向に関連する第２の向きを有する、請求項２に記載のカード。
【請求項４】
前記少なくとも１つの自己プログラミング構成要素が、前記磁気ストライプの上に配設され、前記磁気ストライプ上にデータを符号化するように構成される、請求項３に記載のカード。
【請求項５】
前記少なくとも１つの自己プログラミング構成要素が、少なくとも１つの電磁コイルを含む、請求項４に記載のカード。
【請求項６】
前記少なくとも１つの電磁コイルのそれぞれに対して、前記少なくとも１つの電磁コイルに動作可能に結合された磁気ストライプの少なくとも１つの磁気要素であって、前記電磁コイルへの電流の前記２つの方向に応答して２つの向きに配列することができる、磁気要素をさらに備える、請求項５に記載のカード。
【請求項７】
前記プロセッサが、
所定の時間間隔にて認証コードを計算するためのアルゴリズムを含むメモリを備える、請求項４に記載のカード。
【請求項８】
前記プロセッサが、前記認証コードを符号化するために前記少なくとも１つの自己プログラミング構成要素に電流を供給するように、前記電源に１つまたは複数の信号を送るように構成される、請求項７に記載のカード。
【請求項９】
取引カードであって、
プロセッサと、
前記カード上に設けられた１つまたは複数の構成要素によって所定の時間間隔にてデータ更新するように構成された自己プログラミング領域と、
前記プロセッサおよび前記自己プログラミング領域に接続された電源と
を備える、取引カード。
【請求項１０】
前記自己プログラミング領域が、
前記電源から２つの方向において電流を受け取るように構成された少なくとも１つの自己プログラミング構成要素をさらに備え、前記少なくとも１つのプログラミング構成要素は、一方の電流方向に関連する第１の向きと、他方の電流方向に関連する第２の向きを有する、請求項９に記載のカード。
【国際調査報告】
2010510603.tif 000012
2010510603.tif 000013
2010510603.tif 000014